(57)【要約】【課題】洗面台用シャワーヘッドにおけるシャワーヘッドからの噴出水は下向きであるため、柔らかく噴出する水を直接顔に当てて洗願を行うことが困難であるという問題を解決する洗面台用シャワーヘッドを提供する。【解決手段】洗面台に設けられるシャワーヘッドにおいて、シャワーヘッドを洗面台に装着した状態において、水を下向きに噴出する下向き噴出面の他に、水を上向きに噴出する上向き噴出面を設ける。【選択図】図２
2006241898.tif 000002
【特許請求の範囲】
【請求項１】
洗面台に設けられるシャワーヘッドにおいて、
水を噴出する多数の細孔を有し、シャワーヘッドを洗面台に装着した状態において、水を上向きに噴出する第１の噴出面及び水を下向きに噴出する第２の噴出面を有することを特徴とする洗面台用シャワーヘッド。
【請求項２】
請求項１記載のシャワーヘッドにおいて、
上記各噴出面に水を導入する入水路を、第１の噴出面に導入する第１の入水路または第２の噴出面に導入する第２の入水路に切り替える入水路切替手段を有することを特徴とする洗面台用シャワーヘッド。
【請求項３】
請求項１または２記載のシャワーヘッドにおいて、
第１の噴出面の多数の細孔からの噴水は、第１の噴出面の上方で集束する向きに噴出することを特徴とする洗面台用シャワーヘッド。
【請求項４】
請求項１、２または３記載のシャワーヘッドにおいて、
第１の噴出面は、緩やかな凹の湾曲面または円錐面からなり、その低部に排水孔を有することを特徴とする洗面台用シャワーヘッド。
【発明の詳細な説明】
【技術分野】
【０００１】
本発明は、洗面台で使用されるシャワーヘッドに関する。
【背景技術】
【０００２】
洗面化粧台など洗面台で使用されるシャワーヘッドは、その基部を洗面台の平坦部に、可撓管（ホース）を介して一定長さ引き出し自在に設置されている。水道水は洗面台に設けられたバルブを開くことにより、シャワーヘッドの下面の噴出面から多数の細孔を通して噴出する。洗顔はその下向きの噴出水を手の平で受けてその手の平を顔に当てて行い、洗髪はシャワーヘッドを洗面台から、屈めた頭の上方まで手で引き出し、それを頭上にかざして洗面台上で行う。シャワーヘッドの片方の面に二つの噴出面を設けたシャワーヘッドは、特許文献１、２に記載されている。
【０００３】
【特許文献１】特開平８−１０３６９０号公報
【特許文献２】特表２０００−５１５０５３
【発明の開示】
【発明が解決しようとする課題】
【０００４】
洗面台用シャワーヘッドで洗顔する場合、シャワーヘッドからの噴出水は下向きであるので、普通、噴出水を掬い上げた手の指の部分で顔面を軽く擦りながら行う。したがって、洗面台用シャワーヘッドで、噴出する水を直接顔に当てて洗顔を行いたい場合は、シャワーヘッドを略１８０度回転可能なまで洗面台から引き出してその噴出面を上向きにした状態を片手で保持した状態で行なわなければならないという面倒かつ不自由であるという問題点がある。
【０００５】
本発明は、従来の洗面台用シャワーヘッドの問題点を解決したシャワーヘッドを提供することを目的とする。
【課題を解決するための手段】
【０００６】
請求項１記載の発明は、洗面台用シャワーヘッドにおいて、水を噴出する多数の細孔を有し、シャワーヘッドを洗面台に装着した状態において、水を上向きに噴出する第１の噴出面及び水を下向きに噴出する第２の噴出面を有することを特徴とする。
請求項２記載の発明は、請求項１記載の洗面台用シャワーヘッドにおいて、上記各噴出面に水を導入する入水路を、第１の噴出面に導入する第１の入水路または第２の噴出面に導入する第２の入水路に切り替える入水路切替手段を有することを特徴とする。
請求項３記載の発明は、請求項１または２記載の洗面台用シャワーヘッドにおいて、第１の噴出面の多数の細孔からの噴水は、第１の噴出面の上方で集束する向きに噴出することを特徴とする。
請求項４記載の発明は、請求項１、２または３記載の洗面台用シャワーヘッドにおいて、第１の噴出面は、緩やかな凹の湾曲面または円錐面からなり、その底部に排水孔を有することを特徴とする。
【発明の効果】
【０００７】
本発明によれば、シャワーヘッドが水を上方に噴出する噴出面を備えているので、洗面台用シャワーヘッドで洗顔をする場合、洗面台用シャワーヘッドからの噴出水を掬い上げた手の平で顔を擦りながら行う洗顔以外に、柔らかく上方に向けて噴出する水を直接顔に当てる流水による洗顔が可能である。そのため、手の摩擦による肌の負担を軽減できるばかりでなく、石鹸成分、クレンジング成分を額や毛の生え際からきれいに洗い流すことができる。さらに、洗顔時、シャワーヘッドを上向きにして手で保持する必要がないので、片方の手が不自由であっても難なく洗顔を行えるという優れた効果を奏する。
【発明を実施するための最良の形態】
【０００８】
図１において、シャワーヘッド１０は、洗面台１１の平坦部に従来の構造と同じ取り付け構造により、実線で示す定位置から可撓性の管１２を介して点線１０ａで示すように、上方に引き出し自在に筒状基台１３に取り付けられている。筒状基台１３の側方にはシャワーヘッド１０への水道水の導入、遮断を行うバルブ１４が設けられていて、そのハンドル１５を操作することにより、従来同様、水道水の導入、遮断及びシャワーヘッドからの単位時間当たりの噴出水量、すなわち、シャワーヘッドからの水の噴出の強さを調節する。
【０００９】
シャワーヘッド１０のヘッド部１６は、シャワーヘッドを洗面台に装着した状態において、水を上向きに噴出する多数の細孔を有する第１の噴出面１７と、水を下向きに噴出する多数の細孔を有する第２の噴出面１８とを有し、水路切替用の操作部材１９を操作することにより、第１の噴出面１７または第２の噴出面１８からの水の噴出を選択する。第１の噴出面１７の多数の細孔からの噴水は、第１の噴出面１７の上方で集束する向きに噴出する。
【００１０】
図２は、シャワーヘッド１０のヘッド部１６及び水路切替部２０の断面を示す。ヘッド部１６の上端には、第１の噴出面１７を有する上部キャップ２１が着脱自在にねじ込まれており、ヘッド部１６の下端には下部キャップ２２が固定されている。
ヘッド部１６は平板からなる仕切板２５を有し、この仕切板２５によってヘッド部１６は上部空間１６ａと下部空間１６ｂとに仕切られ、ヘッド部１６と一体成形された導入部２６は、上部入水路である第１の入水路２７と下部入水路である第２の入水路２８とに仕切られている。
【００１１】
第１の噴出面１７は緩やかな凹の湾曲面であって、その中心部には排水口２３が設けられている。排水口２３からは排水管２１ａが仕切板２５を貫いて下部空間１６ｂまで延びており、その下端開口は下部キャップ２２の中心部に設けられた排水孔２４に対向している。
第１の噴出面１７は傾斜の緩やかな凹の円錐面、あるいは、噴水を上方で集束させる向きの細孔を有する平板でもよい。第１の噴出面の細孔の大きさ、第１の噴出面からの噴出水の噴出形状など好みに応じて上部キャップ２１をヘッド部１６に対して自由に交換することができる。上向きの第１の噴出面１７を清潔に保つために、第１の噴出面１７をおう覆う防塵キャップを用意することができる。
【００１２】
水路切替部２０の一端は導入部２６に、他端は把手部３２にそれぞれ連結固定されている。水路切替部２０の、向かって右側の側面には水路切替用のレバーからなる操作部材１９が配置されている。操作部材１９は水路切替部２０に回転自在に設けられた軸３０の、水路切替部２０の上記右側面から突出した軸端にその基部を固定されている。
軸３０には、ヘッド部１６に水を導入する入水路を、第１の入水路２７または第２の入水路２８に切り替える入水路切替弁３１の基部が固定されている。
【００１３】
図２、図３は入水路切替弁３１の先端縁３１ａが水路切替部２０の底面に当接し、水道水を第１の入水路２７に導く状態を示す。この状態において、ハンドル１５を操作することにより、水道水をシャワーヘッド１０に流入させると、その流入水は第１の噴出面１７の多数の細孔から噴出するのでその噴出水を当てることができる。
第１の噴出面１７からの噴出水による洗顔は、図１に示すように、シャワーヘッド１０を洗面台１１にセットした状態、あるいは、シャワーヘッド１０を洗顔者に応じて点線１０ａで示すように可撓性の管１２を介して適当長さだけ引き出し、管１２を手前側に適度屈曲させた引出し状態で行う。この引出し状態での洗顔を安定して行えるようにするために、引き出されたシャワーヘッドの自重による垂れ下がりや捩れが生じない程度の強度が可撓性の管１２に与えられる。
顔に当たった噴出水の一部は、第１の噴出面１７上に戻って排水口２３から排水されるので、第１の噴出面１７を凹の湾曲面に形成しても、第１の噴出面１７上に戻った水で多数の細孔が塞がれるのを防止することができる。第１の噴出面を凸の湾曲面に形成して第１の噴出面上に戻った水を周囲に流下させるようにすれば、排水口は必ずしも必要ではない。
【００１４】
第１の噴出面１７からの水の噴出力が必要以上に強く顔に強い刺激を与えたり、水の噴出高さが必要以上に高くなって飛散したりするのを防止するために、バルブ１４（図１）を全開にしたときのヘッド部１６の上部空間１６ａへの短時間当たりの入水量を、第１の入水路２７の有効断面積の大きさにより制限することができる。
シャワーヘッドから水を上方に噴出させる手段として、下方へのみの噴出面を有するヘッド部を１８０度回転させることにより、その噴出面を上向きにするヘッド部回転機構も考えられるが、このヘッド部回転機構を採用した場合、噴出面を上向きにした状態での噴出水の強さを調節する面倒さが存するばかりでなく、噴出水を上方で集束させたい場合、下向き噴出時に末広がり或いは筒状に噴出する噴出水を、ヘッド部を回転させて噴出面を上向きにしたとき噴出水を上方で集束させるべく噴出面の形状を変化させる機構を設けなければならない問題がある。
【００１５】
操作部材１９を操作して、図２において、入水路切替弁３１を反時計方向に回動させ、その先端縁３１ａを水路切替部２０の天井に当接させて水道水を第２の入水路２８に導くと、水は第２の噴出面１８から下方に噴出する。入水路切弁３１を上下切替え位置の中間位置に置けば、水を第１及び第２の両噴出面から同時に噴出させることができるので、第１の噴出面１７からの水の噴出力を調節することができる。
【００１６】
上記の第１の実施の形態における入水路切替手段は、入水路を第１の入水路または第２の入水路に切り替える入水路切替弁３１とこれを操作する部材１９を有している。
図４に示す第２の実施の形態は、入水路切替弁とこれを操作する部材を必要としない。この実施の形態における入水路切替手段は、シャワーヘッドの把手に対してヘッド部を揺動可能に設けた構成、所謂、ヘッド部の首振り構成からなる。
図４、図５において、ヘッド部１１６は、その上面に第１の噴出面１１７を、下面に第２の噴出面１１８を、内部にヘッド部１１６を上部空間１１６ａと下部空間１１６ｂとに仕切る仕切板１２５を有し、ヘッド部１１６の周面の一部から突出した導入部１２６が、把手部１３２に水平軸の周りに回転自在に連結されている。
導入部１２６には、両端板を有する筒部１２６ａが形成されていて、ヘッド部１１６は、その筒部１２６ａを把手部１３２の先端に形成された断面半円形の筒受け部１３１に嵌め込み、筒部１２６ａの両端板を筒受け部１３１の両側板にねじ軸１３０で回動自在に取り付けられる。
【００１７】
筒部１２６ａの、筒受け部１３１と接する部分には、仕切板１２５を境に第１の開口１３３と第２の開口１３４が設けられており、一方、筒受け部１３１の一部には、ヘッド部１１６を把手部１３２に対して一定角回転させることにより、第１の開口１３３または第２の開口１３４に選択的に対向する送水開口１３５が設けられている。
導入部１２６は、仕切板１２５によって上部入水路である第１の入水路１２８と上部入水路である第２の入水路１２９とに仕切られている。
ヘッド部１１６を上面噴出状態に置いたときの第１の噴出面１１７からの水の噴出力が必要以上に強くなったり、水の噴出高さが必要以上に高くなって飛散したりすることのない大きさに第１の開口１３３の大きさを定めることができる。
【００１８】
図５は、第２の開口１３４と送水開口１３５とが対向して、把手部１３２からの水をヘッド部１１６の下部空間に導入し、第２の噴出面１１８から水を噴出する第２のヘッド体位を示す。
図５において、ヘッド部１１６の第２のヘッド体位から、ヘッド部１１６を軸１３０の回りに時計方向に点線１１６ｃで示す、第１の噴出面１１７が略水平になる位置まで回転させて第１の開口１３３を送水開口１３５に対向させると、把手部１３２からの水がヘッド部１１６の上部空間１１６ａに導入され、第１の噴出面１１７から水を噴出する第１のヘッド体位となる。
ヘッド部１１６の首振りの大きさ、すなわち把手部１３２に対するヘッド部１１６の傾きの度合いを適当に変えることにより、第１の噴出面１１７からの水の噴出力を調節することができる。
【００１９】
第２の実施の形態によれば、入水路切替手段としてヘッド部の首振りにより第１の噴出面または第２の噴出面を選択できる水路切り替バルブを採用したので、シャワーヘッドの構造を簡素化できる。
【図面の簡単な説明】
【００２０】
【図１】本発明の一実施形態を示すシャワーヘッドの斜視図である。
【図２】シャワーヘッドのヘッド部及び水路切替部の断面図である。
【図３】シャワーヘッドのヘッド部及び水路切替部の分解斜視図である。
【図４】本発明の別の実施形態を示すシャワーヘッドの斜視図である。
【図５】図４のヘッド部及び水路切替部の断面図である。
【符号の説明】
【００２１】
１０、１１０    シャワーヘッド
１１            洗面台
１６、１１６    ヘッド部
１７、１１７    第１の噴出面
１８、１１８    第２の噴出面
１９            操作部材
２０            水路切替部
２３、１２３    排水口
２７、１２８    第１の入水路
２８、１２９    第２の入水路
３１            入水路切替弁
３２、１３２    把手部
【図１】
2006241898.tif 000003
【図２】
2006241898.tif 000004
【図３】
2006241898.tif 000005
【図４】
2006241898.tif 000006
【図５】
2006241898.tif 000007